(57)【要約】【課題】収容者のプライバシー保護を向上させる。【解決手段】左右に隣接するベッドＢ、Ｂを囲むように立設する４本の柱材１１、１１…と、前後左右の梁材１２、１２、１３、１３と、中間梁１４と、前の梁材１２から吊下する２組の３連の吊戸形式のスライドドア２１、２１…、２２、２２…と、中間梁１４から吊下する２連の吊戸形式のスライドドア２３、２３とを設ける。【選択図】図５
2011084950.tif 000002
【特許請求の範囲】
【請求項１】
多床室内において左右に隣接する２台のベッドを囲むように立設する４本の柱材と、該柱材によって支持し、左右に長い長方形の枠状に組み立てる前後左右の梁材と、前記前後の梁材の中央を連結する中間梁と、各ベッドの足元側を左右に開閉自在に仕切る２組の３連のスライドドアと、各ベッドの間を開閉可能に仕切る仕切部材とを備えてなり、前記２組のスライドドアは、前記前の梁材から吊下する吊戸形式に形成することを特徴とする間仕切装置。
【請求項２】
前記仕切部材は、前記中間梁から吊下する２連の吊戸形式のスライドドアとすることを特徴とする請求項１記載の間仕切装置。
【請求項３】
前記仕切部材は、前記中間梁を利用して設置する各１枚の固定の間仕切パネルと吊戸形式のスライドドアとすることを特徴とする請求項１記載の間仕切装置。
【発明の詳細な説明】
【技術分野】
【０００１】
この発明は、病院や、高齢者用の福祉施設などにおいて、複数のベッドを収容する多床室に設置し、収容者のプライバシーを保護することができる間仕切装置に関する。
【背景技術】
【０００２】
複数の入院患者を収容する大部屋形の病室用の間仕切装置が提案されている（特許文献１）。
【０００３】
この間仕切装置は、病室内において左右に隣り合う２台のベッドに対し、各ベッドの頭部側のブロックパネルと、各ベッドの間を仕切るブロックパネルとを平面視略Ｔ字状に配置するとともに、各ベッドの足元側に開閉可能なカーテンを配置して構成されている。なお、各ブロックパネルは、横長の単位パネルを縦横に連結して形成し、光透過性のものを一部に混用したり、全体として快適な色彩に着色したり、薄形テレビを組み込んだりすることにより、居住性を向上させることができる。
【先行技術文献】
【特許文献】
【０００４】
【特許文献１】特許第３７６９５５３号公報
【発明の概要】
【発明が解決しようとする課題】
【０００５】
かかる従来技術によるときは、各ベッドの足元側には、開閉可能なカーテンが配置されているだけであるから、収容者のプライバシーを必ずしも十分に保護することができないという問題があった。また、各ベッドの間が固定のブロックパネルによって仕切られているから、ベッドやストレッチャ、診療機械などの搬出入の際に支障を生じるおそれがあるという問題もあった。
【０００６】
そこで、この発明の目的は、かかる従来技術の問題に鑑み、各ベッドの足元側の２組の３連のスライドドアと、各ベッドの間の開閉可能な仕切部材とを設けることによって、収容者のプライバシー保護を向上させるとともに、ベッドなどの搬出入作業を円滑にすることができる間仕切装置を提供することにある。
【課題を解決するための手段】
【０００７】
かかる目的を達成するためのこの発明の構成は、多床室内において左右に隣接する２台のベッドを囲むように立設する４本の柱材と、柱材によって支持し、左右に長い長方形の枠状に組み立てる前後左右の梁材と、前後の梁材の中央を連結する中間梁と、各ベッドの足元側を左右に開閉自在に仕切る２組の３連のスライドドアと、各ベッドの間を開閉可能に仕切る仕切部材とを備えてなり、２組のスライドドアは、前の梁材から吊下する吊戸形式に形成することをその要旨とする。ただし、多床室とは、複数の入院患者や入所者を収容するために複数のベッドを設置している病院の病室または高齢者用の福祉施設の居室などをいう。また、左右とは、同じ方向に向けて横方向に並べるベッドの足元側から見た左右方向をいい、前後とは、そのようなベッドの足元側、頭部側をいう。
【０００８】
なお、仕切部材は、中間梁から吊下する２連の吊戸形式のスライドドアとしてもよく、中間梁を利用して設置する各１枚の固定の間仕切パネルと吊戸形式のスライドドアとしてもよい。
【発明の効果】
【０００９】
かかる発明の構成によるときは、左右に隣接する２台のベッドの足元側は、前の梁材から吊下する吊戸形式の２組の３連のスライドドアによって開閉自在に仕切られ、各ベッドの間は、仕切部材を介して開閉可能に仕切られる。そこで、各ベッド上の収容者は、足元側のスライドドアを全閉にし、各ベッドの間の仕切部材を閉じることにより、必要十分なプライバシーを確保することができる。また、各ベッドの足元側の２組のスライドドアをいずれも全開に開き、必要に応じて各ベッドの間の仕切部材を開くことにより、ベッドなどの搬出入作業を支障なく円滑に実施することができる。
【００１０】
各ベッドの足元側の２組の３連のスライドドアは、その全開時において、前の梁材の全長の４／６＝２／３の範囲を開放可能である。ただし、２組のスライドドアは、前の梁材から吊下する吊戸形式であり、床上をバリアフリーに維持することができる。また、２組のスライドドアは、前の梁材の両端から中央に向けて閉じ、中央から両端に向けて開くものとする。
【００１１】
なお、各ベッドの間を仕切る仕切部材は、２連の吊戸形式のスライドドアとし、または、各１枚の固定の間仕切パネルと１枚の吊戸形式のスライドドアとの組合せとすることができる。ただし、後者の場合、中間梁の後方側の半分に固定の間仕切パネルを設置し、スライドドアにより前方側の半分を開閉可能とすることが好ましい。
【図面の簡単な説明】
【００１２】
【図１】全体構成斜視図
【図２】図１のＸ−Ｘ線矢視相当拡大断面図
【図３】図１のＹ−Ｙ線矢視相当拡大断面図
【図４】使用状態説明斜視図（１）
【図５】使用状態説明斜視図（２）
【図６】使用状態説明図
【図７】他の実施の形態を示す図４相当図
【発明を実施するための形態】
【００１３】
以下、図面を以って発明の実施の形態を説明する。
【００１４】
間仕切装置は、４本の柱材１１、１１…と、前後左右の梁材１２、１２、１３、１３と、中間梁１４と、前の２組３連のスライドドア２１、２１…、２２、２２…と、中間の２連のスライドドア２３、２３とを備えてなる（図１）。
【００１５】
前後の長い梁材１２、１２、左右の短い梁材１３、１３は、左右に長い長方形の枠状に組み立てられており、４本の柱材１１、１１…を介して水平に支持されている。なお、図１において、１２、１２、１３、１３は、柱材１１、１１…を介して連結されているが、これに代えて、梁材１２、１２、１３、１３を枠状に組み立てた後、柱材１１、１１…の上端に連結してもよい。梁材１２、１２、１３、１３、柱材１１、１１…は、いずれもアルミニウムの押出形材による角筒材が好ましいが、その他の材質、形状であってもよい。
【００１６】
前のスライドドア２１、２１…、２２、２２…は、それぞれ前の梁材１２から吊下する吊戸形式に形成されている（図１、図２）。ただし、図２には、図１の右側の１組のスライドドア２２、２２…が代表的に図示されている。
【００１７】
前の梁材１２の下面には、３列のガイドレール１２ａ、１２ａ…が形成されている。また、各ガイドレール１２ａには、各スライドドア２２を吊下する吊車２２ａが走行自在に収納されている。ただし、吊車２２ａは、スライドドア２２の上端の戸先側、戸尻側に各１個が付設されているものとし、図２には、一方の吊車２２ａのみが図示されている。各スライドドア２２は、吊車２２ａ、２２ａを介し、ガイドレール１２ａ、梁材１２の長手方向（図２において紙面に垂直方向）に往復移動させることができる。
【００１８】
各スライドドア２２の下端には、下向きに開口するガイド材２２ｂが取り付けられている。各ガイド材２２ｂは、スライドドア２２の幅相当の長さを有し、両端が閉じられている。１枚目のスライドドア２２のガイド材２２ｂには、床Ｆ上に立設する固定のガイドローラ２２ｃが下から係合している。１枚目のスライドドア２２の下端部戸先側には、横向きのブラケット２２ｄ1 上にガイドローラ２２ｄが立設され、ガイドローラ２２ｄは、２枚目のスライドドア２２のガイド材２２ｂに対して下から係合している。さらに、２枚目のスライドドア２２の戸先側に付設するブラケット２２ｅ1 上のガイドローラ２２ｅは、３枚目のスライドドア２２のガイド材２２ｂに係合している。なお、床Ｆ上のガイドローラ２２ｃは、柱材１１から１枚目のスライドドア２２の幅相当だけ離れて設置されている（図３）。
【００１９】
そこで、３枚のスライドドア２２、２２…は、ブラケット２２ｄ1 、２２ｅ1 上のガイドローラ２２ｄ、２２ｅを介し、それぞれの幅の範囲内で互いに相対移動可能に連接されており、３枚の戸尻側が梁材１２の一端の柱材１１に当接するようにして重なる図１の全開位置から、３枚が順にそれぞれ幅方向に最大に相対移動し、柱材１１から梁材１２の全長の１／２を閉じる図３の全閉位置をとることができる。また、図３において、柱材１１に最も近い１枚目のスライドドア２２は、ガイドローラ２２ｃを介し、その幅相当だけ柱材１１から離すように移動させ、柱材１１との間を開くことができる。
【００２０】
前の梁材１２には、スライドドア２２、２２…と同様にして、他の１組のスライドドア２１、２１…が吊下されている（図１）。スライドドア２１、２１……、２２、２２…は、互いに対称に配置され、梁材１２の中央から両端に向けて梁材１２の全長の２／３を開放し、梁材１２の両端から中央に向けて梁材１２の全長を閉鎖することができる。
【００２１】
中間梁１４には、スライドドア２２、２２…と同様にして、２連の吊戸形式のスライドドア２３、２３が装着されている。そこで、中間梁１４の下面には、スライドドア２３、２３用の２列のガイドレール１４ａが形成されている。なお、スライドドア２３、２３の一方は、床Ｆ上のガイドローラによって下端をガイドするとともに、戸先側に付設するガイドローラを介して他方のスライドドア２３の下端をガイドする。そこで、スライドドア２３、２３は、中間梁１４の全長を閉鎖し、１／２を開放することができる。
【００２２】
なお、図３において、閉鎖状態のスライドドア２３の前部が併せて図示されている。また、図３のスライドドア２２、２２…の配列形態は、図１、図２と逆に図示されているが、これは、いずれの配列形態を採用してもよいものとする。なお、図１において、左右の梁材１３、１３の下面には、それぞれ２列のガイドレール１３ａが形成され、後の梁材１２には、ガイドレール１２ａが形成されていない。
【００２３】
かかる間仕切装置は、たとえば４台のベッドＢ、Ｂ…を収容する高齢者用の福祉施設の居室Ｒに対し、左右に隣接する２台のベッドＢ、Ｂごとに２セットを対向させて設置することができる（図４）。
【００２４】
居室Ｒは、壁Ｗ、Ｗ…によって四方を囲まれ、矢印Ｋ方向に図示しない出入口が開口されている。ただし、図４は、出入口側の壁Ｗの図示が省略されている。居室Ｒ内のベッドＢ、Ｂ…は、２台ずつが頭部側を出入口から見て左右の壁Ｗ、Ｗ側にして配置されている。そこで、各間仕切装置の柱材１１、１１…は、左右に隣接する２台のベッドＢ、Ｂを囲むように立設され、後の梁材１２は、ベッドＢ、Ｂの頭部側の壁Ｗに接し、前の梁材１２は、ベッドＢ、Ｂの足元側に位置している。また、左右の梁材１３、１３は、それぞれ出入口側、奥側の壁Ｗに接し、中間梁１４は、ベッドＢ、Ｂの間に位置している。ただし、梁材１３、１３、中間梁１４は、すべて同一長さとして、各ベッドＢの長さより長いものとする。
【００２５】
間仕切装置は、スライドドア２１、２１…、２２、２２…を介して前の梁材１２の全長、すなわち、左右に隣接するベッドＢ、Ｂの足元側を全閉に閉じ（図５）、スライドドア２３、２３を介してベッドＢ、Ｂの間を全閉に閉じることにより、各ベッドＢを使用する収容者のプライバシーを高度に保護することができる。また、スライドドア２１、２１…、２２、２２…の各１枚を開けることにより任意のベッドＢにアクセス可能であり（たとえば図６の左下のベッドＢ）、スライドドア２３、２３の１枚を開けることにより、一方のベッドＢから隣接する他方のベッドＢにアクセスすることができる（たとえば図６の上のベッドＢ、Ｂ）。また、ベッドＢ、Ｂの足元側の２組の３連のスライドドア２１、２１…、２２、２２…を全開に開放することにより、居室Ｒ内の任意の位置のベッドＢを出入口に搬出し、出入口から搬入することができる（図６の右上の実線、点線のベッドＢ）。なお、ベッドＢに限らず、ストレッチャや、他の任意の大形の診療機械などの搬出入についても、同様である。
【００２６】
左右の梁材１３、１３の下端のガイドレール１３ａ、１３ａは、たとえば各梁材１３が接する側の壁Ｗに窓がある場合などにおいて、窓からの外光や音響などを遮蔽するための開閉可能な遮蔽戸を装着するために使用することができる。ただし、各梁材１３は、ガイドレール１３ａを省略してもよい。
【００２７】
また、前の梁材１２は、図２のようにガイドレール１２ａ、１２ａ…と一体に形成するに代えて、ガイドレール１２ａ、１２ａ…と別体に形成してもよく、各スライドドア２２ごとに、ガイドレール１２ａと一体のまま３分割してもよい。また、各吊車２２ａも、図示以外の任意の形状に変更可能である。
【他の実施の形態】
【００２８】
中間梁１４から吊下する２連のスライドドア２３、２３は、ベッドＢ、Ｂの間を開閉可能に仕切る仕切部材となっている。そこで、仕切部材は、１枚の固定の間仕切パネルと、吊戸形式のスライドドアとの組合せとしてもよい。このときの間仕切パネルは、中間梁１４の全長のうち、後の梁材１２側の１／２を固定的に閉じるものとし、スライドドアは、前の梁材１２側の１／２を開閉可能である。
【００２９】
また、ベッドＢ、Ｂの間を仕切る仕切部材は、任意の家具などを中間梁１４の下の床上に置き並べてもよい（図７）。図７において、中間梁１４の下の家具は、後方から前方に向けて洋服タンス２４ａ、整理タンス２４ｂ、冷蔵庫２４ｃを並べ、整理タンス２４ｂ上の食器棚２４ｄに加えて、整理タンス２４ｂ、冷蔵庫２４ｃ上の嵌め殺し窓２４ｅの組合せを例示している。ただし、洋服タンス２４ａから食器棚２４ｄに至るすべての家具は、両側のベッドＢ、Ｂの収容者が互いに独立に使用可能な両面形である。これらの家具は、必要に応じて移動させ、ベッドＢ、Ｂの間を開閉可能に仕切ることができる。
【産業上の利用可能性】
【００３０】
この発明は、高齢者用の福祉施設などの居室Ｒに限らず、病院の大部屋形の病室などを含む多床室に対して広く好適に使用することができる。
【符号の説明】
【００３１】
Ｂ…ベッド
１１…柱材
１２、１３…梁材
１４…中間梁
２１、２２、２３…スライドドア
特許出願人          小松ウオール工業株式会社
代理人  弁理士                松  田  忠  秋
【図１】
2011084950.tif 000003
【図２】
2011084950.tif 000004
【図３】
2011084950.tif 000005
【図４】
2011084950.tif 000006
【図５】
2011084950.tif 000007
【図６】
2011084950.tif 000008
【図７】
2011084950.tif 000009